(57)【要約】      （修正有）【課題】構造を簡単にして部品点数を減らすとともに、施工を簡易にして作業性を向上させ、コストダウンを図った高設栽培用支持スタンド及び高設栽培装置を提供する。【解決手段】植物が育成させられる栽培床体１を支持するとともに栽培床体１の長手方向に沿って多数列設される高設栽培用支持スタンドＳにおいて、栽培床体１を保持する保持部材１０と、上端部に保持部材１０が設けられ下端部が地面に差し込まれて地面に立設され栽培床体１を地面からの所定高さに位置させる一本の支柱２０と、支柱２０が挿通される挿通孔を有し地面に載置されるベースプレート２２と、ベースプレート２２の上面に当接可能に支柱２０に固定され当接により支柱２０の下動を阻止するストッパ３０とを備えた。【選択図】図１
0003177622.tif 000002
【実用新案登録請求の範囲】
【請求項１】
植物が育成させられる栽培床体を支持するとともに該栽培床体の長手方向に沿って多数列設される高設栽培用支持スタンドにおいて、
上記栽培床体を保持する保持部材と、上端部に上記保持部材が設けられ下端部が地面に差し込まれて該地面に立設され上記栽培床体を地面からの所定高さに位置させる一本の支柱と、該支柱が挿通される挿通孔を有し地面に載置されるベースプレートと、該ベースプレートの上面に当接可能に上記支柱に固定され当接により該支柱の下動を阻止するストッパとを備えたことを特徴とする高設栽培用支持スタンド。
【請求項２】
上記栽培床体は、透水性のシート部材で形成され下方に撓んで横断面Ｕ字状に形成されて内側面側で植物が植え付けられる培地を保持する培地保持シートと、非透水性のシート部材で形成され下方に撓んで横断面Ｕ字状に形成されて上記培地保持シートの下側を収容し植物の栽培に係る水を貯水する貯水シートと、上記培地保持シートの長手方向に沿う両側縁部が夫々止着され互いに並設される一対の第一パイプと、該第一パイプより下側に設けられ上記貯水シートの長手方向に沿う両側縁部が夫々止着され互いに並設される一対の第二パイプとを備えて構成され、
上記保持部材を、上記支柱の上端部に取付けられる取付部と、該取付部に設けられ上記貯水シートの下側で該貯水シートの幅方向に沿って延びるとともに両端側が起立して夫々上記第二パイプの側方を通って先端部が第一パイプ側に至る保持片と、該保持片の両先端部に夫々設けられ上記第一パイプを保持する一対の第一クランパと、上記保持片の両側部に夫々設けられ上記第二パイプを保持する一対の第二クランパとを備えて構成したことを特徴とする請求項１記載の高設栽培用支持スタンド。
【請求項３】
上記支柱をパイプで形成し、上記保持部材の取付部を上記保持片に垂設され上記支柱の上端部に挿入されるパイプで形成したことを特徴とする請求項２記載の高設栽培用支持スタンド。
【請求項４】
上記第一クランパを、両端部が舌片状に形成され中間部が上記第一パイプを被嵌するリング状に形成された本体を備えて構成し、該本体の中間部を上記第一パイプに被嵌し該本体の両端部を上記保持片の先端部を挾持して接合させた状態で該本体の両端部をネジ手段により該保持片の先端部に取付けることを特徴とする請求項２または３記載の高設栽培用支持スタンド。
【請求項５】
上記第二クランパを、一端部が舌片状に形成され他端部側が上記第二パイプを被嵌する半円弧状に形成された本体を備えて構成し、該本体の他端部側を上記第二パイプに被嵌し該本体の他端部側と上記保持片の側部とで上記第二パイプを挾持した状態で上記本体の一端部を上記保持片の側部にネジ手段により取付けることを特徴とする請求項２乃至４何れかに記載の高設栽培用支持スタンド。
【請求項６】
上記ストッパを、内側に支柱の外周が当接可能な略半円弧状の当接部を有した一方片と、該一方片の一端に支柱の軸線と平行な軸線を回動軸とするヒンジを介して回動可能に設けられるとともに支柱の外周が当接可能な略半円弧状の当接部を有し上記一方片と共働して該支柱を挾持する他方片と、上記一方片の他端に基端部が回動可能に設けられたクランプボルトと、上記他方片の他端に突出形成され上記クランプボルトの先端部側が係脱可能なＵ字状の係合部と、上記クランプボルトに螺合し締め付けにより上記係合部に当接して該クランプボルトの係合部に対する係合をロックするロックナットとを備えて構成したことを特徴とする請求項１乃至５何れかに記載の高設栽培用支持スタンド。
【請求項７】
上記請求項１乃至６何れかに記載の高設栽培用支持スタンドを用いて構成される高設栽培装置であって、
上記栽培床体の長手方向に沿って所定間隔で上記高設栽培用支持スタンドを複数配置し、各高設栽培用支持スタンドにより上記栽培床体を支持することを特徴とする高設栽培装置。
【請求項８】
上記長手方向に隣接する高設栽培用支持スタンドの支柱同士の全部若しくは一部を連結杆で連結したことを特徴とする請求項８記載の高設栽培装置。
【請求項９】
上記複数の高設栽培用支持スタンドにより支持した上記栽培床体を複数並設し、並設方向に隣接する栽培床体の支持スタンドの支柱同士の全部もしくは一部を連結杆で連結したことを特徴とする請求項７または８記載の高設栽培装置。
【請求項１０】
少なくとも、上記栽培床体の長手方向端部を支持し長手方向に隣接する一対の支持スタンドの支柱同士を連結杆で連結するとともに、上記栽培床体の長手方向端部を支持し互いに並設方向に隣接する支持スタンドの支柱同士を連結杆で連結したことを特徴とする請求項９記載の高設栽培装置。
【考案の詳細な説明】
【技術分野】
【０００１】
本考案は、イチゴやメロン等の果物や野菜等の植物を地面よりも所定高さ高い位置で栽培する高設栽培において、これらの植物が育成させられる栽培床体を支持する高設栽培用支持スタンド及びこれを用いた高設栽培装置に関する。
【背景技術】
【０００２】
従来、この種の高設栽培装置としては、例えば、特許文献１（特開２００２−３４５３４３号公報）に記載されたものが知られている。
図６に示すように、この高設栽培装置Ｋａは、栽培床体１００を支持体１１０で支持したものである。栽培床体１００は、透水性のシート部材で形成され下方に撓んで横断面Ｕ字状に形成されて内側面側で植物が植え付けられる培地を保持する培地保持シート１０１と、非透水性のシート部材で形成され下方に撓んで横断面Ｕ字状に形成されて培地保持シート１０１の下側を収容し植物の栽培に係る水を貯水する貯水シート１０２とを備えている。培地保持シート１０１内の培地内には、培地を加温する加温パイプ１０３が設けられている。
【０００３】
支持体１１０は、栽培床体１００である培地保持シート１０１及び貯水シート１０２を地面より所定高さ高い位置で支持するもので、複数の棒状体を組んで形成されており、培地保持シート１０１及び貯水シート１０２の長手方向に沿う両側縁部が夫々止着され互いに並設される一対の水平棒１１１と、この左右にある各水平棒１１１を夫々その長手方向に沿って所定間隔で支持する複数の支柱１１２と、各水平棒１１１に平行に設けられ長手方向の各支柱１１２を連結金具で連結する複数の縦梁１１３と、各水平棒１１１に対して直交して設けられ幅方向の支柱１１２を連結金具で連結する複数の横梁１１４とを備えて構成されている。支柱１１２の先端は地面に差し込まれて埋設される。
【０００４】
この高設栽培装置Ｋａによれば、培地保持シート１０１に培地を保持し、この培地に植物を植え付け、貯水シート１０２に肥料や農薬等を含んだ水を貯水し、加温パイプ１０３により培地を加温する。これにより、植物を成長させ、植物の根部が貯水シート１０２側に突出するようにする。そして、貯水シート１０２に貯水された水の水位が下がって、肥料や農薬等を含んだ水が少なくなったら、水を適宜供給するようにしている。
【先行技術文献】
【特許文献】
【０００５】
【特許文献１】特開２００２−３４５３４３号公報
【考案の概要】
【考案が解決しようとする課題】
【０００６】
しかしながら、この従来の高設栽培装置Ｋａにあっては、支持体１１０は、左右にある各水平棒１１１を夫々複数の支柱１１２で支持するとともに、各支柱１１２を複数の縦梁１１３及び複数の横梁１１４で連結金具を介して連結しているので、支柱１１２の数が多くなり、連結のための連結金具の数も多くなることから、部品点数が極めて多く、それだけ施工性に劣り、作業が煩雑になって作業性が悪いという問題があった。また、支柱１１２は地面に差し込まれるが、支柱１１２の数が多い分、水平レベルの確保が難しく、この点でも作業性が悪くなっている。更に、部品点数が多くなることから、設備費が嵩みコスト高になるという問題もある。
【０００７】
本考案は、このような問題点に鑑みてなされたもので、構造を簡単にして部品点数を減らすとともに、施工を簡易にして作業性を向上させ、コストダウンを図った高設栽培用支持スタンド及び高設栽培装置を提供することを目的とする。
【課題を解決するための手段】
【０００８】
このような目的を達成するため、本考案の高設栽培用支持スタンドは、植物が育成させられる栽培床体を支持するとともに該栽培床体の長手方向に沿って多数列設される高設栽培用支持スタンドにおいて、上記栽培床体を保持する保持部材と、上端部に上記保持部材が設けられ下端部が地面に差し込まれて該地面に立設され上記栽培床体を地面からの所定高さに位置させる一本の支柱と、該支柱が挿通される挿通孔を有し地面に載置されるベースプレートと、該ベースプレートの上面に当接可能に上記支柱に固定され当接により該支柱の下動を阻止するストッパとを備えた構成としている。
【０００９】
これにより、高設栽培装置を構築するときは、栽培床体の長手方向に沿う方向に、本考案の高設栽培用支持スタンドを、所定間隔で設置する。この設置においては、高設栽培用支持スタンドにおいて、支柱の下端部を地面に打ち込んで差し込んで埋設するとともに、ベースプレートを、支柱を地面に打ち込んだ後、若しくは、打ち込む前に、挿通孔に支柱を通して地面に設置する。そして、保持部材を所要の高さ位置に位置決めする。また、この保持部材がその所要の高さ位置よりも下降しないように、支柱をベースプレートに対してストッパで保持する。この状態で、列設された保持部材に対し、栽培床体を保持し、栽培床体を所定の高さ位置に支持する。この場合、高設栽培用支持スタンドにおいては、一本の支柱を地面に差し込んで、ストッパで保持するだけで設置できるので、構造を簡単にして部品点数を減らすことができ、それだけ、コストダウンを図ることができるとともに、施工が簡易になり、作業性を向上させることができる。また、一本の支柱を地面に差し込んで、ストッパで保持するだけで設置できるので、栽培床体の水平レベルの確保が極めて容易になり、この点でも作業性を向上させることができる。
【００１０】
そして、必要に応じ、上記栽培床体は、透水性のシート部材で形成され下方に撓んで横断面Ｕ字状に形成されて内側面側で植物が植え付けられる培地を保持する培地保持シートと、非透水性のシート部材で形成され下方に撓んで横断面Ｕ字状に形成されて上記培地保持シートの下側を収容し植物の栽培に係る水を貯水する貯水シートと、上記培地保持シートの長手方向に沿う両側縁部が夫々止着され互いに並設される一対の第一パイプと、該第一パイプより下側に設けられ上記貯水シートの長手方向に沿う両側縁部が夫々止着され互いに並設される一対の第二パイプとを備えて構成され、
上記保持部材を、上記支柱の上端部に取付けられる取付部と、該取付部に設けられ上記貯水シートの下側で該貯水シートの幅方向に沿って延びるとともに両端側が起立して夫々上記第二パイプの側方を通って先端部が第一パイプ側に至る保持片と、該保持片の両先端部に夫々設けられ上記第一パイプを保持する一対の第一クランパと、上記保持片の両側部に夫々設けられ上記第二パイプを保持する一対の第二クランパとを備えて構成している。
これにより、栽培床体の第一パイプ及び第二パイプを第一クランパ及び第二クランパで保持するだけで、栽培床体を保持部材に保持できるので、栽培床体自体の設置も容易になり、それだけ、施工性がよく、作業性を向上させることができる。
【００１１】
この場合、上記支柱をパイプで形成し、上記保持部材の取付部を上記保持片に垂設され上記支柱の上端部に挿入されるパイプで形成したことが有効である。取付部のパイプを支柱のパイプに差し込むだけで保持部材を支柱に設けることができるので、この点でも、構造が簡単で、施工性がよく、作業性を向上させることができる。
【００１２】
また、必要に応じ、上記第一クランパを、両端部が舌片状に形成され中間部が上記第一パイプを被嵌するリング状に形成された本体を備えて構成し、該本体の中間部を上記第一パイプに被嵌し該本体の両端部を上記保持片の先端部を挾持して接合させた状態で該本体の両端部をネジ手段により該保持片の先端部に取付ける構成としている。第一パイプをリング状の第一クランパに被嵌してネジ手段で固定するだけで、第一パイプを保持できるので、この点でも、構造が簡単で、施工性がよく、作業性を向上させることができる。
【００１３】
更に、必要に応じ、上記第二クランパを、一端部が舌片状に形成され他端部側が上記第二パイプを被嵌する略半円弧状に形成された本体を備えて構成し、該本体の他端部側を上記第二パイプに被嵌し該本体の他端部側と上記保持片の側部とで上記第二パイプを挾持した状態で上記本体の一端部を上記保持片の側部にネジ手段により取付ける構成としている。第二パイプを半円弧状の第二クランパに被嵌してネジ手段で固定するだけで、第二パイプを保持できるので、この点でも、構造が簡単で、施工性がよく、作業性を向上させることができる。
【００１４】
更にまた、必要に応じ、上記ストッパを、内側に支柱の外周が当接可能な略半円弧状の当接部を有した一方片と、該一方片の一端に支柱の軸線と平行な軸線を回動軸とするヒンジを介して回動可能に設けられるとともに支柱の外周が当接可能な略半円弧状の当接部を有し上記一方片と共働して該支柱を挾持する他方片と、上記一方片の他端に基端部が回動可能に設けられたクランプボルトと、上記他方片の他端に突出形成され上記クランプボルトの先端部側が係脱可能なＵ字状の係合部と、上記クランプボルトに螺合し締め付けにより上記係合部に当接して該クランプボルトの係合部に対する係合をロックするロックナットとを備えて構成している。ストッパとして、市販のパイプ用クランパを利用できるので、コストを安くすることができるとともに、ストッパを容易に形成でき、この点でも、施工性がよく、作業性を向上させることができる。
【００１５】
また、上記の目的を達成するため、本考案の高設栽培装置は、上記の高設栽培用支持スタンドを用いて構成される高設栽培装置であって、上記栽培床体の長手方向に沿って所定間隔で上記高設栽培用支持スタンドを複数配置し、各高設栽培用支持スタンドにより上記栽培床体を支持する構成としている。上記と同様の作用，効果を奏する。
【００１６】
この場合、必要に応じ、上記長手方向に隣接する高設栽培用支持スタンドの支柱同士の全部若しくは一部を連結杆で連結した構成としている。これにより、支持が安定化し、耐震性が向上させられる。
【００１７】
また、必要に応じ、上記複数の高設栽培用支持スタンドにより支持した上記栽培床体を複数並設し、並設方向に隣接する栽培床体の支持スタンドの支柱同士の全部もしくは一部を連結杆で連結した構成としている。これにより、並設された栽培床体の支持スタンド同士が連結されるので、各栽培床体の支持がより一層安定化し、耐震性が向上させられる。
【００１８】
この場合、少なくとも、上記栽培床体の長手方向端部を支持し長手方向に隣接する一対の支持スタンドの支柱同士を連結杆で連結するとともに、上記栽培床体の長手方向端部を支持し互いに並設方向に隣接する支持スタンドの支柱同士を連結杆で連結した構成としている。栽培床体の端部の支持が確実に強固になり、装置を安定化させることができる。
【考案の効果】
【００１９】
本考案によれば、高設栽培装置を構築するときは、栽培床体の長手方向に沿う方向に、本考案の高設栽培用支持スタンドを、所定間隔で設置する。この設置においては、高設栽培用支持スタンドにおいて、支柱の下端部を地面に打ち込んで差し込んで埋設するとともに、ベースプレートを、支柱を地面に打ち込んだ後、若しくは、打ち込む前に、挿通孔に支柱を通して地面に設置する。そして、保持部材を所要の高さ位置に位置決めする。また、この保持部材がその所要の高さ位置よりも下降しないように、支柱をベースプレートに対してストッパで保持する。この状態で、列設された保持部材に対し、栽培床体を保持し、栽培床体を所定の高さ位置に支持する。この場合、高設栽培用支持スタンドにおいては、一本の支柱を地面に差し込んで、ストッパで保持するだけで設置できるので、構造を簡単にして部品点数を減らすことができ、それだけ、コストダウンを図ることができるとともに、施工が簡易になり、作業性を向上させることができる。また、一本の支柱を地面に差し込んで、ストッパで保持するだけで設置できるので、栽培床体の水平レベルの確保が極めて容易になり、この点でも作業性を向上させることができる。
【図面の簡単な説明】
【００２０】
【図１】本考案の実施の形態に係る高設栽培用支持スタンドを示す斜視図である。
【図２】本考案の実施の形態に係る高設栽培用支持スタンドを用いて構築された実施の形態に係る構築栽培装置を示す図である。
【図３】図２に示す本考案の実施の形態に係る構築栽培装置の横断面図である。
【図４】本考案の実施の形態に係る高設栽培用支持スタンドを示す要部拡大図である。
【図５】本考案の実施の形態に係る構築栽培装置の栽培時の状態を示す図である。
【図６】従来の高設栽培装置の一例を示す図である。
【考案を実施するための形態】
【００２１】
以下、添付図面に基づいて本考案の実施の形態に係る高設栽培用支持スタンド及びこれを用いた高設栽培装置について説明する。
図１乃至図５に示すように、実施の形態に係る高設栽培用支持スタンドＳは、植物が育成させられる栽培床体１を支持するとともに栽培床体１の長手方向に沿って多数列設される。
栽培床体１は、透水性のシート部材で形成され下方に撓んで横断面Ｕ字状に形成されて内側面側で植物が植え付けられる培地を保持する培地保持シート２と、非透水性のシート部材で形成され下方に撓んで横断面Ｕ字状に形成されて培地保持シート２の下側を収容し植物の栽培に係る水を貯水する貯水シート３と、培地保持シート２の長手方向に沿う両側縁部が夫々止着され互いに並設される一対の第一パイプ４と、第一パイプ４より下側に設けられ貯水シート３の長手方向に沿う両側縁部が夫々止着され互いに並設される一対の第二パイプ５とを備えて構成されている。第一パイプ４に対する培地保持シート２の止着は、第一パイプ４に嵌着される半円筒状の樹脂製の止着体６（図１）で行われ、培地保持シート２は止着体６の弾性により第一パイプ４に対して挾持される。また、第二パイプ５に対する貯水シート３の止着は、同様に、第二パイプ５に嵌着される半円筒状の樹脂製の止着体６で行われ、貯水シート３は止着体６の弾性により第二パイプ５に対して挾持される。
【００２２】
実施の形態に係る高設栽培用支持スタンドＳは、栽培床体１を保持する保持部材１０と、上端部に保持部材１０が設けられ下端部が地面に差し込まれて地面に立設され栽培床体１を地面からの所定高さに位置させる一本の支柱２０とを備えている。支柱２０は金属製パイプで形成されている。また、この支持スタンドＳは、支柱２０が挿通される挿通孔２１を有し地面に載置される矩形状の金属製ベースプレート２２と、ベースプレート２２の上面に当接可能に支柱２０に固定され当接により支柱２０の下動を阻止するストッパ３０とを備えてなる。
【００２３】
保持部材１０は、支柱２０の上端部に取付けられる取付部１１と、取付部１１に設けられる保持片１２とを備えている。保持片１２は、帯状の金属製板をコ字状に折曲形成したものであり、貯水シート３の下側で貯水シート３の幅方向に沿って延びるとともに、両端側が起立して夫々第二パイプ５の側方を通って先端部１２ａが第一パイプ４側に至るよう構成されている。図４に示すように、保持部材１０の取付部１１は、保持片１２に垂設され支柱２０を構成するパイプの上端部に挿入されるパイプで形成されている。取付部１１が支柱２０に挿通された状態では、保持片１２が支柱２０に衝止して位置決めされる。
【００２４】
また、保持部材１０は、保持片１２の両先端部に夫々設けられ第一パイプ４を保持する一対の第一クランパ１３を備えている。第一クランパ１３は、両端部が舌片状に形成され中間部が第一パイプ４を被嵌するリング状に形成された本体１４を備えて構成され、本体１４の中間部を第一パイプ４に被嵌し本体１４の両端部を保持片１２の先端部１２ａを挾持して接合させた状態でこの本体１４の両端部をネジ手段１５により保持片１２の先端部に取付けるよう構成されている。ネジ手段は、ボルト１５ａ及びナット１５ｂで構成され、本体１４の両端部及び保持片１２の先端部にはボルト挿通孔１６が形成されている。
【００２５】
また、保持部材１０は、保持片１２の両側部に夫々設けられ第二パイプ５を保持する一対の第二クランパ１７を備えている。第二クランパ１７は、一端部が舌片状に形成され他端部側が第二パイプ５を被嵌する半円弧状に形成された本体１８を備えて構成され、本体１８の他端部側を第二パイプ５に被嵌し本体１８の他端部側と保持片１２の側部１２ｂとで第二パイプ５を挾持した状態でこの本体１８の一端部を保持片１２の側部にネジ手段１９により取付けるよう構成されている。ネジ手段１９は、保持片１２の側部に設けた雌ネジ部１９ａと、ビス１９ｂとからなり、ビス１９ｂを本体１８の他端部側に形成した通孔を挿通させて雌ネジ部１９ａにねじ込むことにより、本体１８を固定する。
【００２６】
更に、ストッパ３０としては、市販のパイプ用シングルクランパを用いる。これは、図１及び図４に示すように、内側に支柱２０の外周が当接可能な略半円弧状の当接部を有した一方片３１と、一方片３１の一端に支柱２０の軸線と平行な軸線を回動軸とするヒンジ３２を介して回動可能に設けられるとともに支柱２０の外周が当接可能な略半円弧状の当接部を有し一方片３１と共働して支柱２０を挾持する他方片３３と、一方片３１の他端に基端部が回動可能に設けられたクランプボルト３４と、他方片３３の他端に突出形成されクランプボルト３４の先端部側が係脱可能なＵ字状の係合部３５と、クランプボルト３４に螺合し締め付けにより係合部３５に当接してクランプボルト３４の係合部３５に対する係合をロックするロックナット３６とを備えて構成されている。
【００２７】
また、実施の形態に係る高設栽培装置Ｋは、図２及び図３に示すように、実施の形態に係る高設栽培用支持スタンドＳを用いて構成され、栽培床体１の長手方向に沿って所定間隔で高設栽培用支持スタンドＳを複数配置し、各高設栽培用支持スタンドＳにより栽培床体１を支持する。実施の形態では、複数の高設栽培用支持スタンドＳにより支持した栽培床体１を複数並設している。実施の形態では、２連に並設した栽培床体１において、長手方向に隣接する高設栽培用支持スタンドＳの支柱２０同士の全部若しくは一部（実施の形態では一部）を連結杆４０で連結している。また、並設方向に隣接する栽培床体１の支持スタンドＳの支柱２０同士の全部もしくは一部（実施の形態では一部）を連結杆４１で連結している。連結杆４０，４１の連結は、上記ストッパ３０を構成するシングルクランパを２つ接合した市販のダブルクランパ４２を用いる。
【００２８】
従って、この実施の形態に係る高設栽培装置Ｋを構築するときは、栽培床体１の長手方向に沿う方向に、高設栽培用支持スタンドＳを、所定間隔で設置する。この設置においては、先ず、支柱２０の下端部を地面に打ち込んで差し込んで埋設し、その後、ベースプレート２２を、その挿通孔２１を支柱２０に通して地面に設置する。尚、支柱２０はベースプレート２２を予め挿通させた状態で地面に打ち込んでもよく適宜変更してよい。この状態で、保持部材１０がその所要の高さ位置よりも下降しないように、支柱２０をベースプレート２２に対してストッパ３０で保持する。そして、保持部材１０の取付部１１のパイプを支柱２０のパイプに挿入して保持部材１０を所要の高さ位置に位置決めする。
【００２９】
この場合、高設栽培用支持スタンドＳにおいては、一本の支柱２０を地面に差し込んで、ストッパ３０で保持するだけで設置できるので、構造を簡単にして部品点数を減らすことができるとともに、それだけ、コストダウンを図ることができるとともに、施工が簡易になり、作業性を向上させることができる。また、一本の支柱２０を地面に差し込んで、ストッパ３０で保持するだけで設置できるので、栽培床体１を保持する保持部材１０の水平レベルの確保が極めて容易になり、この点でも作業性を向上させることができる。また、保持部材１０の取付けにおいても、取付部１１のパイプを支柱２０のパイプに差し込むだけで保持部材１０を支柱２０に設けることができるので、この点でも、構造が簡単で、施工性がよく、作業性を向上させることができる。
【００３０】
また、実施の形態では、２連に並設した栽培床体１において、長手方向に隣接する高設栽培用支持スタンドＳの支柱２０同士の全部若しくは一部（実施の形態では一部）を連結杆４０で連結する。これにより、支持が安定化し、耐震性が向上させられる。
また、並設方向に隣接する栽培床体１の支持スタンドＳの支柱２０同士の全部もしくは一部（実施の形態では一部）を連結杆４１で連結する。これにより、並設された栽培床体１の支持スタンドＳ同士が連結されるので、各栽培床体１の支持がより一層安定化し、耐震性が向上させられる。
【００３１】
実施の形態では、少なくとも、栽培床体１の長手方向端部を支持し長手方向に隣接する一対の支持スタンドＳの支柱２０同士を連結杆４０で連結するとともに、栽培床体１の長手方向端部を支持し互いに並設方向に隣接する支持スタンドＳの支柱２０同士を連結杆４１で連結している。栽培床体１の端部の支持が確実に強固になり、装置を安定化させることができる。
【００３２】
この状態で、列設された保持部材１０に対し、栽培床体１を保持し、栽培床体１を所定の高さ位置に支持する。この際は、先ず、栽培床体１の第一パイプ４及び第二パイプ５を第一クランパ１３及び第二クランパ１７で保持する。この場合、第一パイプ４をリング状の第一クランパ１３に被嵌してネジ手段１５で固定するだけで第一パイプ４を保持でき、第二パイプ５を半円弧状の第二クランパ１７に被嵌してネジ手段１９で固定するだけで第二パイプ５を保持できるので、この点でも、構造が簡単で、施工性がよく、作業性を向上させることができる。それから、第二パイプ５に、止着体６により貯水シート３を止着するとともに、同様に、第一パイプ４に、止着体６により、培地保持シート２を止着する。
【００３３】
このような高設栽培装置Ｋで、高設栽培するときは、例えば、図５に示すように、培地保持シート２に培地を入れて、例えばイチゴなどの植物を植付け、この状態で、水供給部５０から貯水シート３に水Ｗを供給し、貯水シート３に貯水される水Ｗの水位を変動させながら植物の根部に水を吸収させて植物を栽培していく。この場合、例えば、水供給部５０から、貯水シート３に水Ｗを供給して水位が所定高さＨになるようにする。そして、植物の根部が吸収したり、自然蒸発したりすることにより、徐々にその水位が減っていき、貯水シート３に貯水された水Ｗの水位が最小水位Ｌになれば、再び水供給部５０から、貯水シート３に水Ｗを供給して水位が所定高さＨになるようにする。
【００３４】
尚、上記実施の形態において、栽培床体１は、培地保持シート２及び貯水シート３を備えた構成のものであるが、必ずしもこれに限定されるものではなく、例えば、水耕栽培用の樋状の樹脂容器などでも良く、適宜変更して差し支えない。
【符号の説明】
【００３５】
Ｔ  高設栽培装置
Ｓ  支持スタンド
１  栽培床体
２  培地保持シート
３  貯水シート
４  第一パイプ
５  第二パイプ
６  止着体
１０  保持部材
１１  取付部
１２  保持片
１３  第一クランパ
１４  本体
１５  ネジ手段
１６  ボルト挿通孔
１７  第二クランパ
１８  本体
１９  ネジ手段
２０  支柱
２１  挿通孔
２２  ベースプレート
３０  ストッパ
４０  連結杆
４１  連結杆
４２  ダブルクランパ
５０  水供給部
【図１】
0003177622.tif 000003
【図２】
0003177622.tif 000004
【図３】
0003177622.tif 000005
【図４】
0003177622.tif 000006
【図５】
0003177622.tif 000007
【図６】
0003177622.tif 000008